(57)【要約】【課題】    使用者が手すりをつかむ際、手が鏡にぶつからず、手についた水が鏡に付着し鏡を汚すことのない手洗器ユニットを提供する。【解決手段】  本発明は、設置すべき壁面Ｗに少なくとも一部が埋め込まれた手洗器本体を備えた手洗器ユニット１であって、壁面Ｗよりも奥に、壁面Ｗに対してほぼ平行に延び鏡１０と手すり３が取り付けられた第一壁面部４ａと、第一壁面部４ａの両側の端部から壁面Ｗまで延び、壁面Ｗに対してほぼ直角に向けられた側面部４ｂと、この側面部４ｂの先端を外方に折り曲げて形成された第二壁面部４ｃとを有することを特徴としている。【選択図】  図５
2008110117.tif 000002
【特許請求の範囲】
【請求項１】
トイレルーム壁面に埋設されて設置される手洗器ユニットにおいて、
前記手洗器の後方の第一壁面部と、
前記第一壁面部より突出されて形成される第二壁面部と、
前記第一壁面部に設置される鏡と手すりと、を備えてなり、    
前記手すりの握り部の第一壁面部側の面が第二壁面部より前方であり、
かつ前記手すりの握り部の先端の面が手洗器前面より後方であることを特徴とする手洗器ユニット。
【発明の詳細な説明】
【技術分野】
【０００１】
本発明は手洗器ユニットに関し、特に、設置すべき壁面に少なくとも一部が埋め込まれた手洗器本体を備えた手洗器ユニットに関する。 
【背景技術】
【０００２】
特開２０００−９３３４０号公報には、手洗器上部で鏡の隣に手すりが設置されたトイレユニットがある。図７に示すように鏡と手すりの位置は、壁面に同一位置で設置されている。
【特許文献１】特開２０００−９３３４０号公報
【特許文献２】特開２００１−２６９６２号公報
【発明の開示】
【発明が解決しようとする課題】
【０００３】
しかしながら、これら従来のトイレユニットでは、図８に示すように、手すりを掴むとき、手が鏡にぶつかり、鏡のエッジで手を切る恐れや、手のツメを鏡に引っかける恐れが有った。また、図９に示すように壁面に埋設された従来の手洗器ユニットにおいて、壁面埋設部に手すりを設けた場合、使用者が手すり握り部を掴もうとすると手洗器ユニットの側壁が邪魔なり、握り難い課題が有った。
【０００４】
更には、使用者が手洗器使用後に手が濡れた状態で手すりをつかむとき、手についた水が鏡に付着し鏡が汚れた。また、濡れた手から滴り落ちた水が床に落ち、手洗器周囲を汚す課題が有った。更には、使用者が手洗器使用時に手すり先端が頭にぶつかり、怪我をする恐れがあった。
【０００５】
また、図１０に示すように壁面に埋め込まれていない従来の手洗器ユニットでは、狭いトイレルームにおいて場所を取るため、使用者がトイレルームに入る際、手洗器ユニットにぶつかることがあった。さらには、使用者が便座に腰掛けた時、手洗器ユニットに足がぶつかる不具合があった。
【０００６】
従って、本発明は、使用者が手すりをつかむ際、手が鏡にぶつからず、鏡のエッジで手を切る恐れや、手のツメを鏡に引っかける恐れがなくなり、手洗器ユニットの側壁が邪魔なり、握り難いことがない手洗器ユニットを提供することを目的としている。更に手についた水が鏡に付着し鏡を汚す事を防止し、濡れた手から滴り落ちた水が床に落ち手洗器周囲を汚すことのない手洗器ユニットを提供することを目的としている。更には、使用者が手洗器使用時に頭が手すりにぶつかって怪我をする恐れがない手洗器ユニットを提供することを目的としている。また、使用者がトイレルームに入る際、手洗器ユニットにぶつかったり、使用者が便座に腰掛けた時、手洗器ユニットに足がぶつかることのない手洗器ユニットを提供することを目的としている。
【課題を解決するための手段】
【０００７】
本発明では、上記課題を解決するためにトイレルーム壁面に埋設されて設置される手洗器ユニットにおいて、前記手洗器の後方の第一壁面部と、前記第一壁面部より突出されて形成される第二壁面部と、前記第一壁面部に設置される鏡と手すりと、を備えてなり、前記手すりの握り部の第一壁面部側の面が第二壁面部より前方であり、かつ前記手すりの握り部の先端の面が手洗器前面より後方であることを特徴とする手洗器ユニットを提供する。
【発明の効果】
【０００８】
本発明の手洗器ユニットよれば、使用者が手すりをつかむ際、手が鏡にぶつからず、鏡のエッジで手を切る恐れや、手のツメを鏡に引っかける恐れがなくなり、手洗器ユニットの側壁が邪魔なり、握り難いことがない。更には、手についた水が鏡に付着し鏡を汚す事を防止し、濡れた手から滴り落ちた水が床に落ち手洗器周囲を汚すことのない。更には、使用者が手洗器使用時に頭が手すりにぶつかって怪我をする恐れがない。更には、使用者がトイレルームに入る際、手洗器ユニットにぶつかったり、使用者が便座に腰掛けた時、手洗器ユニットに足がぶつかることのない。
【発明を実施するための最良の形態】
【０００９】
次に、添付図面を参照して、本発明の実施形態による手洗器ユニットを説明する。図１は、本発明の実施形態によるトイレルームの上面図であり、図２は本発明の実施形態による手洗器ユニットの側面断面図であり、図３は正面図である。また、図４は図３の１００-１００線における断面図、図５は図３の２００-２００線における断面図である。
【００１０】
図１乃至図５に示すように、便器Ｂが設置されているトイレルームに手洗器ユニット本体１がある。トイレルームは、住宅に設置されるトイレルームや、学校、オフィスビルなど公衆に利用されるトイレルームがあるが、本発明の好ましい実施形態においてはトイレルームの設置場所に限定されない。施工する際、トイレルームの壁面Ｗを形成している壁面Ｗの一部を取り除き、その壁面Ｗの除去部に手洗器ユニット本体１を埋め込む。図１に示すように、トイレルームの壁面Ｗに手洗器ユニット本体１を埋め込んでいるため、図１０に示す従来のトイレルームに比べて狭いトイレルームの空間を広く使う事ができる。このことにより、使用者がトイレルームに入る際、手洗器ユニットにぶつかったり、使用者が便座に腰掛けた時、手洗器ユニットに足がぶつかることのない。
【００１１】
図２に示すように、手洗器ユニット本体１は、手洗器本体６を載置するための天板２ｄと、この天板２ｄよりも上方に延びる背板２ｅと、を有する。背板２ｅは、手洗器本体６の上端と同じ高さまで延びている。図４に示すように手洗器本体６の断面は、壁面Ｗに対してほぼ平行に延びる背板２ｅと、背板２ｅの両側の端部から壁面Ｗまで延び、壁面Ｗに対してほぼ直角に向けられた背板側面部２ｂと、この背板側面部２ｂの先端を外方に折り曲げて形成され背板２ｅと平行に形成された背板平行部２ａと、から構成される。従って、背板平行部２ａと背板側面部２ｂと背板２ｅは、略コの字形の断面を有する。
【００１２】
埋込プレート４は、図５に示すように、壁面Ｗの奥に壁面Ｗに対してほぼ平行に延びる第一壁面部４ａと、第一壁面部４ａの両側の端部から壁面Ｗまで延び、壁面Ｗに対してほぼ直角に向けられた側面部４ｂと、この側面部４ｂの先端を外方に折り曲げて形成された第二壁面部４ｃと、を有する。従って、第一壁面部４ａと側面部４ｂと第二壁面部４ｃからなる埋込プレート４は、略コの字形の断面を有する。また、埋込プレート４は、手洗器ユニット本体１の背板２ｅの上端から上方に延びるように配置されている。（図６）
【００１３】
また、埋込プレート４は、第二壁面部４ｃの裏側が、壁面Ｗの表面に当接されることによって、壁面Ｗに対して位置決めされている。埋込プレート４は、その第二壁面部４ｃが壁面Ｗに当接した状態で、側面部４ｂと補強木Ｃを木ねじ８で固定することにより、壁面Ｗに取り付けられている。さらに、埋込プレート４の第一壁面部４ａには、鏡１０と手すり３が取り付けられている。
【００１４】
手すり３は、図示しない手すり垂直部と手すり握り部３ａからなり、手すり握り部３ａの形状は、丸棒形状でも良いし、角型形状でも良く特に形状に限定されない。図５に示すように、第一壁面部４ａから第二壁面部４ｃまでの距離をＸ、第一壁面部４ａから手すり握り部の第一壁面側の面の距離をＹ１、第一壁面部４ａから手すり握り部の先端までの距離をＹ２、第一壁面部４ａから手洗器前面までの距離をＺとすると、手すりの握り部の位置は、Ｘ＜Ｙ１＜Ｙ２＜Ｚにあることが好ましい。この構成により、第二壁面部４ｃより手すり握り部３ａが突出されるため、使用者が手すりをつかむ際、手が鏡にぶつからず、鏡のエッジで手を切る恐れや、手のツメを鏡に引っかける恐れがなくなり、手洗器ユニットの側壁が邪魔なり、握り難いことがない。更には、手についた水が鏡に付着し鏡を汚す事を防止する。また、手すり握り部の先端が手洗器前面より突出していないため、濡れた手から滴り落ちた水が洗面器に落ちるため、手洗器周囲を汚すことのない。更には、使用者が手洗器使用時に頭が手すりにぶつかって怪我をする恐れがない。
【００１５】
手洗器本体６は、図４に示すように、壁面Ｗよりも後方に位置する埋設部６ａと、この埋設部６ａと連続して形成される突出部６ｂと、を有する。埋設部６ａの幅Ｇは、突出部６ｂの幅Ｈより狭く構成される。手洗器本体６は、埋設部６ａが略コの字形の断面である背板平行部２ａと背板側面部２ｂと背板２ｅの中に挿入され、突出部６ｂが壁面Ｗの前方に突出するように配置される。また、手洗器本体６は、突出部６ｂの後端面である当接面６ｃを壁面Ｗの方向に押し付けることによって位置決めされている。さらに、手洗器本体６の内側には、壁面Ｗと平行にほぼ鉛直方向に延びる正面部と、この正面部から連続して前方に湾曲するように構成され、吐水された水道水を受けるボウル部が形成されている。図６に示すように、天板２ｄの突出幅Ｅは、ボウル部の前方への突出幅Ｄより突出していることが好ましい。なお、本実施形態においては、手洗器本体６は陶器製である。
【００１６】
また、手洗器本体６は、図６に示すように、手洗器ユニット本体１の天板２ｄの上に載置されており、手洗器ユニット本体１の天板２ｄと手洗器本体６の底面６ｇが締結用ボルト１４により結合されることによって固定されている。また、手洗器本体６上端部には、機能部６ｄが設けられており、この機能部６ｄには、使用者が手洗器本体６内に手指を入れたことを検知するセンサと、このセンサの検出信号に基づいて、吐水状態と止水状態に切り替えられる開閉弁と、これらを作動させるコントローラが内蔵されている（以上図示せず）。さらに、機能部６ｄの下面には、スパウト６ｅが形成されている。使用者は、手洗器に手をかざすと自動的に水が吐水され、手を引くと止水する。このセンサを用いた手洗器により、使用後に蛇口などの部位に触れることなく、手を洗うことができる。
【００１７】
以上、本発明の好ましい実施形態を説明したが、上述した実施形態に種々の変更を加え
ることができる。特に、上述した実施形態においては、手洗器本体は陶器製であったが、
手洗器本体を樹脂で構成することもできる。
【００１８】
また、上述した実施形態においては、手洗器本体の上方に背板が延び埋込プレートが配置されていたが、背板が鏡の後部の第一壁面部まで延びるように構成することもできる。
【００１９】
これまで詳細を記した最良の実施の形態によると、使用者が手すりをつかむ際、手が鏡にぶつからず、鏡のエッジで手を切る恐れや、手のツメを鏡に引っかける恐れがなくなり、手洗器ユニットの側壁が邪魔なり、握り難いことがない。更には、手についた水が鏡に付着し鏡を汚す事を防止し、濡れた手から滴り落ちた水が床に落ち手洗器周囲を汚すことのない。更には、使用者が手洗器使用時に頭が手すりにぶつかって怪我をする恐れがない。更には、使用者がトイレルームに入る際、手洗器ユニットにぶつかったり、使用者が便座に腰掛けた時、手洗器ユニットに足がぶつかることのない。
【図面の簡単な説明】
【００２０】
【図１】本発明の実施形態によるトイレルームの上面図である。
【図２】本発明の実施形態による手洗器ユニットの側面断面図である。
【図３】本発明の実施形態による手洗器ユニットの正面図である。
【図４】図３の１００-１００線における断面図である。
【図５】図３の２００-２００線における断面図である。
【図６】手洗器本体の取り付け部分を拡大して示す側面断面図である。
【図７】従来の手洗器ユニットの斜視図である。
【図８】従来の手洗器ユニットの手すり取付部分を拡大して示す断面図である。
【図９】従来の手洗器ユニットの手すり取付部分を拡大して示す断面図である。
【図１０】従来のトイレルームの上面図である。
【符号の説明】
【００２１】
Ｂ 便器
Ｃ 補強木
Ｄ ボウル部の前方への突出幅
Ｅ 天板２ｄの突出幅
Ｆ 床面
Ｇ 埋設部６ａの幅
Ｈ 突出部６ｂの幅
Ｐ 手洗器本体の最奥部
Ｗ 壁面
Ｘ 第一壁面部前面と第二壁面前面との距離
Ｙ 第一壁面部前面と手すり握り部の第二壁面側の面との距離
Ｚ 第一壁面部前面と手すり握り部の先端面との距離
１ 本発明の実施形態による手洗器ユニット
２ａ 背板平行部
２ｂ 背板側面部
２ｄ 天板
２ｅ 背板
３  手すり
３ａ 手すり握り部
４ 埋込プレート
４ａ 第一壁面部
４ｂ 側面部
４ｃ 第二壁面部
６ 手洗器本体
６ａ 埋設部
６ｂ 突出部
６ｃ 当接面
６ｄ 機能部
６ｅ スパウト
６ｆ あふれ縁
６ｇ 底面
８ 木ねじ
１０ 鏡
１４ 締結用ボルト
【図１】
2008110117.tif 000003
【図２】
2008110117.tif 000004
【図３】
2008110117.tif 000005
【図４】
2008110117.tif 000006
【図５】
2008110117.tif 000007
【図６】
2008110117.tif 000008
【図７】
2008110117.tif 000009
【図８】
2008110117.tif 000010
【図９】
2008110117.tif 000011
【図１０】
2008110117.tif 000012